(57)【特許請求の範囲】
【請求項１】
時計ヒゲゼンマイ（２０）を調整するための緩急針（１０）に打ち込まれるように配置されるヒゲゼンマイブーツ（１）であって、
前記緩急針は、前記ヒゲゼンマイの枢動軸と平行な軸（Ｄ）に対して枢着するように配置されるか、あるいは、その軸に結合され、
前記ヒゲゼンマイブーツ（１）は、２つのヒゲ棒肩部（２、３）を含み、
前記ヒゲ棒肩部は、互いに一方向（Ｄ１）に平行であり、距離（Ｅ）だけ離れており、前記肩部の間に挿入したヒゲゼンマイ（２０）の動径方向の振れを制限するように配置され、また、最小の摩擦により前記ヒゲゼンマイ（２０）を支持するよう研磨され、
前記ヒゲゼンマイブーツ（１）は、前記ヒゲゼンマイブーツ（１）を前記緩急針（１０）に取り付けた位置に、前記ヒゲ棒肩部（２、３）の前記方向（Ｄ１）が前記緩急針（１０）の前記枢動軸に平行となるように調整するために配置された、前記ヒゲゼンマイブーツ（１）を前記緩急針（１０）に載せるための手段を含み、
前記ヒゲゼンマイブーツ（１）は、前記ヒゲ棒肩部（２、３）の前記方向（Ｄ１）と平行方向に視認穴（４）を含み、
前記視認穴（４）は、技師または光学機器によって、前記ヒゲ棒肩部（２、３）と、前記ヒゲ棒肩部（２、３）からある距離だけ離れた、および／または、前記ヒゲ棒肩部（２、３）の一方および／または他方と接する前記ヒゲ棒肩部の間に挿入したヒゲゼンマイ（２０）の一部とを確認することができるように、透明である
ことを特徴とする、ヒゲゼンマイブーツ（１）。
【請求項２】
前記方向（Ｄ１）に平行であり、前記ヒゲ棒肩部（２、３）の実質的に中心にある軸（Ｄ２）に沿って、前記ヒゲ棒肩部（２、３）に対して反対端に、および、ヒゲ棒肩部（２、３）から距離を置いたところに、前記ヒゲゼンマイブーツ（１）に含まれる調整領域（６）の周りに前記緩急針（１０）を伸張するように配置された締付保持手段（５）であって、前記緩急針（１０）と自由な遊びを持たせて協働し、前記緩急針（１０）を締め付けにより保持するための締付保持手段（５）を含むことを特徴とする、請求項１に記載のヒゲゼンマイブーツ（１）。
【請求項３】
前記締付保持手段（５）は、前記ヒゲ棒肩部（２、３）の反対側で前記緩急針（１０）に載せるように配置される支持襟部（７）と、前記ヒゲ棒肩部（２、３）の側面にあり、前記緩急針（１０）に打ち込んだ後に前記緩急針（１０）でヒゲゼンマイブーツ（１）を保持するように配置される保持表面（８）とを含むことを特徴とする、請求項２に記載のヒゲゼンマイブーツ（１）。
【請求項４】
前記方向（Ｄ２）に対する直交平面に沿って、前記保持表面（８）は、前記ヒゲゼンマイブーツ（１）を受けるために前記緩急針（１０）に含まれる通路（１１）の断面より大きい断面を少なくとも１つ有することを特徴とする、請求項３に記載のヒゲゼンマイブーツ（１）。
【請求項５】
通路（１１）へのブーツ（１）の挿入および打ち込みのために、少なくとも前記保持表面（８）で弾性的に変形可能であり、該通路は、前記ブート（１）を受けるために前記緩急針（１０）に設けられることを特徴とする、請求項３に記載のヒゲゼンマイブーツ（１）。
【請求項６】
前記緩急針（１０）に打ち込んだ後に、前記方向（Ｄ１）に平行であり、かつ、ヒゲ棒肩部（２、３）の実質的に中心にある軸（Ｄ２）の周りでのブーツ（１）の枢動を制御するための把持手段（９）を含むことを特徴とする、請求項１〜５のいずれか１項に記載のヒゲゼンマイブーツ（１）。
【請求項７】
前記視認穴（４）と連通して、光学機器もしくは光学拡大器またはピックカウンタを受けるための手段（４０）を含むことを特徴とする、請求項１〜６のいずれか１項に記載のヒゲゼンマイブーツ（１）。
【請求項８】
前記ヒゲゼンマイ（２０）の枢動軸と平行な軸（Ｄ）に対して枢着するように配置されるか、あるいは、その軸に結合された、時計ヒゲゼンマイ（２０）を調整するための緩急針（１０）であって、
請求項１〜７のいずれか１項に記載のヒゲゼンマイブーツ（１）を含み、
前記ヒゲゼンマイブーツ（１）は、前記方向（Ｄ１）が前記軸（Ｄ）に平行となるように前記緩急針（１０）に打ち込まれることを特徴とする、緩急針（１０）。
【請求項９】
前記ヒゲゼンマイブーツ（１）の挿入および打ち込みのための通路（１１）を少なくとも１つ含むことを特徴とする、請求項８に記載の緩急針（１０）。
【請求項１０】
前記方向（Ｄ１）に平行であり、かつ、前記ヒゲ棒肩部（２、３）の実質的に中心にある軸（Ｄ２）の周りにおける、前記ヒゲゼンマイブーツ（１）の角度位置を測る目盛り付きのマーキング手段（１２）を含むことを特徴とする、請求項８に記載の緩急針（１０）。
【請求項１１】
枢動軸の周りを枢動するヒゲゼンマイ（２０）を少なくとも１つ含み、請求項１に記載のヒゲゼンマイブーツ（１）によって支持される、時計ムーブメントのための調整アセンブリ（３０）であって、前記方向（Ｄ１）は、前記ヒゲゼンマイ（２０）の枢動軸に平行であることを特徴とする、調整アセンブリ（３０）。
【請求項１２】
枢動軸の周りを枢動するヒゲゼンマイ（２０）を少なくとも１つ含み、請求項８に記載の緩急針（１０）によって支持される時計ムーブメントのための調整アセンブリ（３０）であって、前記方向（Ｄ１）は、前記ヒゲゼンマイ（２０）の枢動軸に平行であることを特徴とする、調整アセンブリ（３０）。
【請求項１３】
枢動軸の周りを枢動するヒゲゼンマイ（２０）を少なくとも１つ含み、請求項１に記載のヒゲゼンマイブーツ（１）によって支持される少なくとも１つの調整アセンブリ（３０）を含む時計ムーブメント（４０）であって、前記方向（Ｄ１）は、前記ヒゲゼンマイ（２０）の枢動軸に平行であることを特徴とする、時計ムーブメント（４０）。
【請求項１４】
枢動軸の周りを枢動するヒゲゼンマイ（２０）を少なくとも１つ含み、請求項８に記載の緩急針（１０）によって支持される少なくとも１つの調整アセンブリ（３０）を含む時計ムーブメント（４０）であって、前記方向（Ｄ１）は、前記ヒゲゼンマイ（２０）の枢動軸に平行であることを特徴とする時計ムーブメント（４０）。
【請求項１５】
請求項１３に記載の時計ムーブメント（４０）を少なくとも１つ含む時計（５０）。
【請求項１６】
請求項１４に記載の時計ムーブメント（４０）を少なくとも１つ含む時計（５０）。
【発明の詳細な説明】
【技術分野】
【０００１】
本発明は、時計ヒゲゼンマイを調整するための緩急針に打ち込まれるように配置されるヒゲゼンマイブーツに関し、緩急針は、ヒゲゼンマイの枢動軸と平行な軸に対して枢着するように配置されるか、あるいは、その軸に結合され、ヒゲゼンマイブーツは、２つのヒゲ棒肩部を含み、これらのヒゲ棒肩部は、互いに一方向に平行であり、ある距離だけ離れており、その肩部の間に挿入したヒゲゼンマイの径方向の振れを制限するように配置され、さらに、最小の摩擦によりヒゲゼンマイを支持するよう研磨され、ヒゲゼンマイブーツは、ヒゲゼンマイブーツを緩急針に取り付けた位置に、ヒゲ棒肩部の方向が緩急針の枢動軸に平行となるように調整するために配置された、ブーツを緩急針に載せるための手段を含む。
【０００２】
本発明は、時計ヒゲゼンマイを調整するための緩急針をさらに含み、緩急針はヒゲゼンマイの枢動軸と平行な軸に対して枢着するように配置されるか、あるいは、その軸に結合され、上記の種類のヒゲゼンマイブーツを含む。
【０００３】
本発明は、時計ムーブメントのための調整アセンブリにさらに関し、調整アセンブリは、枢動軸の周りを枢動し、この種類のヒゲゼンマイブーツによって、あるいは、この種類の緩急針によって支持されるヒゲゼンマイを少なくとも１つ含む。
【０００４】
また、本発明は、そのような調整アセンブリを少なくとも１つ含む時計ムーブメントに関する。
【０００５】
また、本発明は、そのような時計ムーブメントを少なくとも１つ含む時計に関する。
【背景技術】
【０００６】
時計調整アセンブリ、特にスプラングバランスの等時性を調整するために、ヒゲゼンマイの可動部に対して何らかの作用を及ぼすことが知られており、ヒゲゼンマイは、その内端がテンプに固定されたヒゲ玉に取り付けられ、外端が、ムーブメントのプレートに固定されたテンプ受けに固定されたヒゲ持ちに取り付けられる。ヒゲゼンマイの可動部を変化させる、特にヒゲゼンマイをヒゲ持ちに配置した場所によって定義される全体の長さよりも短い長さを得るために、緩急針が使用され、この緩急針は、２つのヒゲ棒を備える緩急針、あるいは、２つのヒゲ棒を保持するヒゲゼンマイブーツを含む緩急針であってよい。これらの２つのヒゲ棒は、２つの研磨された平行な肩部を形成し、これらの肩部には、ヒゲゼンマイが載せられ、最小の摩擦により摺動することができる。ある時点で、ヒゲゼンマイがヒゲ棒の１つに載っている場合、ヒゲゼンマイの可動部は、一方でヒゲゼンマイをヒゲ玉にピン止めした場所と、他方でヒゲゼンマイがヒゲ棒に載っている場所との間からなる部分である。ヒゲゼンマイがいずれのヒゲ棒にも載っていない場合、その可動部はヒゲゼンマイの全長と等しくなる。ヒゲ棒が大きく離れていると、遅れが生じ、振幅変動が大きくなり、一定速度が得られない。ヒゲ棒が互いに接近しすぎると、進みが生じ、ヒゲゼンマイが変形する危険性があり、これはより不利である。
【０００７】
技師は、ヒゲゼンマイとヒゲ棒の相対位置を確認することができないため、試行錯誤を重ねて作業を進めるか、あるいは、例えばテンプの静止時にヒゲ棒を調整して、ヒゲゼンマイをヒゲ棒に対して中心に配置し、両側にヒゲゼンマイの半分の厚さの遊びを持たせるなどの経験的な調整法を用いる必要がある。しかし、他のあらゆる経験的な調整法と同様、これによって作業が最適化されることはなく、従来から許容範囲とされてきた程度の調整しかできない。さらに、この位置決めは理論上のものであって、ヒゲ棒の間の間隔を調整するためにゲージなどを挿入することが不可能であるため、実施することが困難である。
【０００８】
ヒゲ持ちに対して可能な調整と、緩急針の枢動に対して可能な調整との組み合わせによって、事態は特に複雑化し、実際にヒゲゼンマイに何が起きているかを制御するのは技師にとって困難である。従って、技師がヒゲゼンマイの正確な位置を知らせる手段を使用して、ヒゲゼンマイをセンタリングしたり、振れを調整したりする作業を実施することができることはさらに有利である。
【０００９】
Ｖｕａｃｈｅｔによる中国特許第４０８７８７号明細書は、Ｖ字形に折ったプレートによって形成され、緩急針の径方向穴部の上に縁部を介して載せられたヒゲゼンマイブーツを開示している。このプレートは、バネが通過するためのスロットを含み、スロットの縁部は、ヒゲゼンマイの振れを制限するためのヒゲ棒として機能する。技師は、緩急針の径方向の穴部からヒゲゼンマイを確認できるが、スロットの縁部に対するヒゲゼンマイの位置を確認することができず、スロットの縁部は、プレートの構造によって隠れており、緩急針の穴部を通して視認できない。
【００１０】
Ｂｅｙｎｅｒによる中国特許第４０７９２号明細書は、ヒゲゼンマイを保持する２つの可動指部を含む緩急針を開示している。ヒゲゼンマイは２つの指部の間で上方から視認できる。しかし、これは可動ヒゲゼンマイブーツではなく、ヒゲゼンマイの軸に対する枢動と別個に位置が固定された緩急針本体であり、ヒゲ棒とゼンマイとの間の相対的な角度位置に作用を及ぼすことはできない。
【発明の概要】
【発明が解決しようとする課題】
【００１１】
本発明は、ヒゲゼンマイをセンタリングしたり、振れを調整したりする作業の際に、技師がヒゲゼンマイおよびヒゲ棒のそれぞれの位置を良好に視認することを可能にする、簡単かつ経済的な解決策を提案することによって、従来技術の課題を克服することを提案し、それによって、ヒゲゼンマイを精確に位置決めできるようになる。
【課題を解決するための手段】
【００１２】
従って、本発明は、時計ヒゲゼンマイを調整するための緩急針に打ち込まれるように配置されるヒゲゼンマイブーツに関し、緩急針は、ヒゲゼンマイの枢動軸と平行な軸に対して枢着するように配置されるか、あるいは、その軸に結合される。ヒゲゼンマイブーツは、２つのヒゲ棒肩部を含み、これらのヒゲ棒肩部は、互いに一方向に平行であり、ある距離だけ離れており、その肩部の間に挿入したヒゲゼンマイの径方向の振れを制限するように配置され、また、最小の摩擦によりヒゲゼンマイを支持するよう研磨される。ヒゲゼンマイブーツは、ヒゲゼンマイブーツを緩急針に取り付けた位置に、ヒゲ棒肩部の方向が緩急針の枢動軸と平行になるように調整するために配置された、ブーツを緩急針に載せるための手段を含む。本発明は、ヒゲゼンマイブーツがヒゲ棒肩部の方向と平行方向に視認穴を有し、視認穴は、技師または光学機器によって、ヒゲ棒肩部と、ヒゲ棒からある距離だけ離れた、および／または、ヒゲ棒の一方および／または他方と接するヒゲ棒肩部の間に挿入したヒゲゼンマイの一部とを確認できるように、透明であることを特徴とする。
【００１３】
本発明の特徴に従って、ヒゲゼンマイブーツは、視認穴と連通した、光学機器もしくは光学拡大器またはピックカウンタを受けるための手段を含む。
【００１４】
また、本発明は、時計ヒゲゼンマイを調整するための緩急針に関し、緩急針はヒゲゼンマイの枢動軸と平行な軸に対して枢着するように配置されるか、あるいは、その軸に結合され、上記の種類のヒゲゼンマイブーツを含み、ヒゲゼンマイブーツは、方向が軸に平行となるように、緩急針に打ち込まれることを特徴とする。
【００１５】
本発明の特徴に従って、緩急針は、ヒゲゼンマイブーツの挿入および打ち込みのための通路を少なくとも１つ含む。
【００１６】
また、本発明は、枢動軸の周りを枢動し、この種類のヒゲゼンマイブーツまたはこの種類の緩急針により保持されるヒゲゼンマイを少なくとも１つ含む時計ムーブメントのための調整アセンブリに関し、ヒゲ棒肩部の方向は、ヒゲゼンマイの枢動軸に平行であることを特徴とする。
【００１７】
また、本発明は、そのような調整アセンブリを少なくとも１つ含む時計ムーブメントに関する。
【００１８】
また、本発明は、そのような時計ムーブメントを少なくとも１つ含む時計に関する。
【００１９】
本発明の他の特徴および利点は、添付図面を参照して、以下の記載を読めばさらに明らかとなる。
【図面の簡単な説明】
【００２０】
【図１】本発明による緩急針およびヒゲゼンマイブーツを含む調整アセンブリを有するムーブメントを含む時計の部分概略斜視図を示す。
【図２】本発明のヒゲゼンマイブーツの、ヒゲゼンマイブーツに含まれる２つのヒゲ棒肩部に平行な中間軸に沿った概略縦断面図を示す。
【図３】本発明によるヒゲゼンマイブーツの、図１の方向Ａに沿った概略端面図を示す。
【図４】本発明による緩急針およびヒゲゼンマイブーツを含む調整部材を有する時計ムーブメントを含む時計の部分概略上面図を示す。
【図５】図４の時計の細部の部分概略斜視図を示す。
【図６】図４の時計の細部の部分概略斜視図を示す。
【発明を実施するための形態】
【００２１】
本発明は、ヒゲゼンマイブーツ１に関する。このヒゲゼンマイブーツ１は、時計ヒゲゼンマイ２０を調整するための緩急針１０に打ち込まれるように配置される。この緩急針１０は、ヒゲゼンマイの枢動軸と平行な軸Ｄに対して枢着するように通常の方法で配置されるか、あるいは、その軸に結合される。
【００２２】
このヒゲゼンマイブーツ１は、２つのヒゲ棒肩部２および３を含み、これらのヒゲ棒肩部は、方向Ｄ１に沿って互いに平行であり、距離Ｅだけ離れており、肩部の間に挿入したヒゲゼンマイ２０の径方向の振れを制限するように配置される。これらのヒゲ棒肩部は、少なくともヒゲゼンマイ２０を支持すると考えられる表面が研磨され、ヒゲゼンマイ２０を最小の摩擦によって支持するようにする。図３に示すように、ヒゲゼンマイ２０は、２つのヒゲ棒肩部２および３との間で自由な状態であるか、あるいは、ヒゲ棒肩部２を画定する表面２Ａと表面２Ｂとの間に含まれる１もしくは複数の表面、または、ヒゲ棒肩部３を画定する表面３Ａと表面３Ｂとの間に含まれる１もしくは複数の表面に圧力を加える。
【００２３】
ヒゲゼンマイブーツ１は、ヒゲゼンマイブーツ１を緩急針１０に取り付けた位置に、ヒゲ棒肩２および３の方向Ｄ１が緩急針１０の枢動軸Ｄと平行になるように調整するために配置され、ブーツ１を緩急針１０に載せるための手段を含む。
【００２４】
本発明によれば、ヒゲゼンマイブーツ１は、ヒゲ棒肩部２および３の方向Ｄ１と平行方向に視認穴４を有する。図３に示すように、視認穴４は、技師または光学機器によって、ヒゲ棒肩部２または３と、ヒゲ棒からある距離だけ離れた、および／または、ヒゲ棒２、３のいずれか一方と接するヒゲ棒肩部の間に挿入したヒゲゼンマイ２０の一部とを視認することができるよう、透明である。
【００２５】
緩急針１０にブーツ１を素早くかつ簡単に組み付けるためには、図２に示すように、方向Ｄ１に平行であり、かつ、ヒゲ棒肩部２、３の実質的に中心にある軸Ｄ２に沿って、ヒゲ棒肩部２および３に対して反対端に、および、ヒゲ棒肩部２および３から距離を置いたところに、ブーツ１が締付保持手段５を有し、この保持手段が緩急針１０を伸張するように配置されるのが好ましい。この締付保持手段５は、ブーツ１に含まれる調整領域６の周りに緩急針１０を伸張し、これにより、緩急針１０と自由な遊びを持たせて協働し、緩急針１０を締め付けにより保持する。
【００２６】
図２に示す好適な実施形態では、締付保持手段５は、ヒゲ棒肩部２および３の反対側で緩急針１０に載せるように配置される支持襟部７と、ヒゲ棒肩部２および３の側面にあり、緩急針１０に打ち込んだ後に緩急針１０上にブーツ１を保持するように配置される保持表面８とを含む。例えば、この保持手段は、実質的に円錐形の肩部または類似の形状に形成され、例えば軸Ｄ２の円筒状の肩部の形状に形成された調整領域６と、調整領域６より直径が大きい肩部８Ａとの間で拡がり、これにより、ブーツを緩急針１０に打ち込んだ後に緩急針１０上にブーツ１を保持する。
【００２７】
つまり、方向Ｄ２に対する直交平面では、保持表面８は、ブーツ１を受けるために緩急針１０に含まれる通路１１の断面より大きい断面を少なくとも１つ有し、調整領域６は、通路１１と実質的に相補的な形状を有するように作成されるのが好ましい。
【００２８】
このアセンブリを可能にするために、ブーツ１は、少なくとも保持表面８で弾性的に変形することができるのが好ましく、これによって、ブーツ１を受けるために緩急針１０に設けた通路１１に、ブーツを打ち込むことによって挿入することが可能となる。
【００２９】
調整を実施するためには、図１および図３に示すように、ブーツ１は、例えばレンチなどの工具によってブーツを把持することができる２つの平行な肩部の形状の把持手段９を含み、これにより、ブーツを緩急針１０に打ち込んだ後に、方向Ｄ１に平行であり、かつ、ヒゲ棒肩部２および３の実質的に中心にある軸Ｄ２の周りでのブーツの枢動を制御するのが有利である。
【００３０】
使用者の作業の快適性を改善するためには、図２および３に示すように、ヒゲゼンマイブーツ１は、視認穴４と連通して、光学機器もしくは光学レンズまたはピックカウンタなどのような一体型の拡大光学機器を受けるための、穴部４０のような手段４０を含むのが有利である。
【００３１】
また、本発明は、時計ヒゲゼンマイ２０を調整するための緩急針１０を含み、この緩急針は、ヒゲゼンマイ２０の枢動軸と平行な軸に対して枢着するように配置されるか、あるいは、その軸に結合され、上に示したように、方向Ｄ１が軸Ｄに平行となるように、緩急針１０に打ち込まれるブーツ１を含む。
【００３２】
この緩急針１０は、ブーツ１の挿入および打ち込みのための通路１１を少なくとも１つ含むのが好ましい。緩急針１０およびブーツ１は、ブーツを緩急針１０に締付固定するために、通路１１がブーツ１に含まれる調整領域６と実質的に相補的な形状を有するように適合されるのが好ましい。
【００３３】
設定を保存し、稼働中に監視するために、緩急針１０は、方向Ｄ１に平行であり、かつ、ブーツ１のヒゲ棒肩部２および３の実質的に中心にある軸Ｄ２の周りのブーツ１の角度位置を測る目盛り付きのマーキング手段１２を含み、また、このマーキング手段１２は、例えばポインタの形状である補助マーキング手段１２０を含むのが有利である。
【００３４】
従って、緩急針１０に対するブーツ１の枢動によって、ヒゲ棒肩部２および３を軸Ｄ２に対して垂直に交わる平面上でつなぐ方向Ｄ３と、同一平面でゼンマイ２０の局所方向に正接する方向Ｄ４との間の相対的な位置決めが可能となり、これらの２つの方向Ｄ３、Ｄ４が形成する調整角αは９０°に近い。従って、技師の観察および選択した設定に応じて、ブーツ１を調整して、領域２Ａ、２Ｂ、３Ａまたは３Ｂのいずれかでゼンマイ２０とブーツとの間の接触を促すことが可能である。
【００３５】
特定の変形例では、緩急針１０は、緩急針１０の枢動軸Ｄに対して実質的に径方向のスロット１３を含む。このスロット１３は、ブーツ１のための受入面として機能し、スロットの側面は、ブーツ１の調整領域６と協働する通路１１を形成する。よって緩急針１０は、ブーツ１の補助マーキング手段によりブーツ１の径方向の位置を保持するための、例えば指針の形状（図示せず）の他の補助動径マーキング手段１４を含むことができる。
【００３６】
図１は、時計ムーブメント４０を含む時計５０を示す。ムーブメントはプレート４３を含み、このプレートは、調整アセンブリ３０を支持するためのテンプ受け４２を保持し、通常スプラングバランスアセンブリを含む。スプラングバランスアセンブリは、ヒゲゼンマイ２０を含み、ヒゲゼンマイは、その最終コイル２１を介して、テンプ受け４２と一体化したヒゲ持ち４１に取り付けられる。ヒゲ持ち４１から距離をおいたところに、ゼンマイ２０のこの最終コイル２１は、本発明のブーツの２つのヒゲ棒肩部２および３の間を通され、ブーツ自体は緩急針１０に取り付けられる。
【００３７】
従って、本発明は、枢動軸の周りを枢動し、ブーツ１によって、あるいは、緩急針１０によって保持されるヒゲゼンマイ２０を少なくとも１つ含む時計ムーブメントのための調整アセンブリ（３０）に関し、方向Ｄ１がヒゲゼンマイ２０の枢動軸に平行となるように配置される。
【００３８】
また、本発明は、そのような調整アセンブリ３０を少なくとも１つ含む時計ムーブメント４０に関する。
【００３９】
また、本発明は、そのような時計ムーブメント４０を少なくとも１つ含む時計５０に関する。
【図１】
0005308545.tif 000002
【図２】
0005308545.tif 000003
【図３】
0005308545.tif 000004
【図４】
0005308545.tif 000005
【図５】
0005308545.tif 000006
【図６】
0005308545.tif 000007